(57)【要約】【課題】複数の遊技関連情報の各々をグラフ化して表示させる際に、該複数の遊技関連情報の各々を一連性のある（バラバラでない）グラフレンジでグラフ化して表示できるような遊技台管理装置を提供する。【解決手段】複数の遊技関連情報の各々をグラフ化して表示させる（ここでは１番台の３日分のスランプグラフを表示する）際に、該複数の遊技関連情報から少なくとも最大値（ここでは最大値と最小値）を検出し、該検出された複数の遊技関連情報の最大値と最小値に応じたグラフレンジを決定し、該決定されたグラフレンジで複数の遊技関連情報の各々をグラフ化して表示させる。【選択図】　　　図８
2004097513.tif 000002
【特許請求の範囲】
【請求項１】
遊技台における遊技に関連して発生する遊技関連情報を管理する管理手段と、該管理手段により管理している遊技関連情報をグラフ化して表示させるためのグラフ表示制御手段と、を備える遊技台管理装置であって、
前記管理手段により管理している遊技関連情報から所望の遊技関連情報を抽出するための抽出条件を設定する抽出条件設定手段と、
該抽出条件設定手段により設定された抽出条件に基づいた遊技関連情報を抽出する抽出手段と、
該抽出手段により抽出された複数の遊技関連情報から少なくとも最大値を検出する検出手段と、
該検出手段により検出された複数の遊技関連情報の最大値に応じたグラフレンジを決定するグラフレンジ決定手段と、を含み、
前記グラフ表示制御手段は、前記複数の遊技関連情報の各々をグラフ化して表示させる際に、前記グラフレンジ決定手段により決定されたグラフレンジでグラフ化して表示させる制御を行うことを特徴とする遊技台管理装置。
【請求項２】
請求項１に記載した遊技台管理装置であって、
前記抽出条件設定手段は、前記抽出条件として前記遊技台の台番号と日付を設定することを特徴とする遊技台管理装置。
【請求項３】
請求項１に記載した遊技台管理装置であって、
前記抽出条件設定手段は、前記抽出条件として前記遊技台の機種と日付を設定することを特徴とする遊技台管理装置。
【請求項４】
請求項２又は３に記載した遊技台管理装置であって、
予め定められた期間を記憶する期間記憶手段をさらに備え、
前記抽出条件設定手段により前記抽出条件として日付を設定する際に、該期間記憶手段により記憶されている予め定められた期間から選択して設定することを特徴とする遊技台管理装置。
【請求項５】
請求項１〜４のいずれか１つに記載した遊技台管理装置であって、
前記グラフ表示制御手段は、前記遊技関連情報の時間変化をグラフ化して表示させる制御を行うことを特徴とする遊技台管理装置。
【請求項６】
請求項１〜５のいずれか１つに記載した遊技台管理装置であって、
前記グラフ表示制御手段は、前記グラフ化した複数の遊技関連情報の各々を並べて表示させる制御を行うことを特徴とする遊技台管理装置。
【請求項７】
請求項１〜６のいずれか１つに記載した遊技台管理装置であって、
予め定められた複数種類のグラフレンジのパターンを記憶するグラフレンジ記憶手段をさらに備え、
前記グラフレンジ決定手段は、前記検出手段により検出された遊技関連情報の最大値に応じたグラフレンジを、前記グラフレンジ記憶手段により記憶されている複数種類のグラフレンジのパターンから選択して決定することを特徴とする遊技台管理装置。
【請求項８】
請求項１〜７のいずれか１つに記載した遊技台管理装置であって、
前記検出手段は、前記抽出手段により抽出された複数の遊技関連情報から最大値と最小値を検出し、
前記グラフレンジ決定手段は、該検出手段により検出された複数の遊技関連情報の最大値と最小値に応じたグラフレンジを決定することを特徴とする遊技台管理装置。
【発明の詳細な説明】
【０００１】
【発明の属する技術分野】
本発明は、遊技台における遊技に関連して発生する遊技関連情報を管理する遊技台管理装置に係り、特に該管理している遊技関連情報をグラフ化して表示するための遊技台管理装置に関する。
【０００２】
【従来の技術】
従来より、複数の遊技機の稼働情報を管理する遊技機管理装置において、ある機種の遊技機の稼働情報の時間変化をグラフ化して表示させる際に、該稼働情報の最大値と最小値を検出し、該検出した稼働情報の最大値と最小値に応じたグラフレンジを決定し、該決定されたグラフレンジで稼働情報の時間変化を表示させるものが知られている（例えば特許文献１を参照）。
【０００３】
【特許文献１】
特開２００２−１１９７４９号公報（第２頁，図４，図５）
【０００４】
【発明が解決しようとする課題】
しかしながら、遊技台における遊技に関連して発生する遊技関連情報を管理する遊技台管理装置において、複数の遊技関連情報の各々をグラフ化して表示させる際に、該複数の遊技関連情報毎にグラフレンジを決定して表示すると、該複数の遊技関連情報の各々が一連性のない（バラバラの）グラフレンジでグラフ化されて表示されるため、見にくい表示となり、該複数の遊技関連情報の比較検討が困難である。
【０００５】
本発明は、このような背景のもとになされたものであり、その目的は、複数の遊技関連情報の各々をグラフ化して表示させる際に、該複数の遊技関連情報の各々を一連性のある（バラバラでない）グラフレンジでグラフ化して表示できるような遊技台管理装置を提供することにある。
【０００６】
【課題を解決するための手段】
本発明は、前記課題を解決するために、次のような手段を採る。
【０００７】
まず請求項１に係る発明は、遊技台における遊技に関連して発生する遊技関連情報を管理する管理手段と、該管理手段により管理している遊技関連情報をグラフ化して表示させるためのグラフ表示制御手段と、を備える遊技台管理装置であって、前記管理手段により管理している遊技関連情報から所望の遊技関連情報を抽出するための抽出条件を設定する抽出条件設定手段と、該抽出条件設定手段により設定された抽出条件に基づいた前記複数の遊技関連情報を抽出する抽出手段と、該抽出手段により抽出された複数の遊技関連情報から少なくとも最大値を検出する検出手段と、該検出手段により検出された複数の遊技関連情報の最大値に応じたグラフレンジを決定するグラフレンジ決定手段と、を含み、前記グラフ表示制御手段は、前記複数の遊技関連情報の各々をグラフ化して表示させる際に、前記グラフレンジ決定手段により決定されたグラフレンジでグラフ化して表示させる制御を行うことを特徴とする遊技台管理装置である。
【０００８】
また請求項２に係る発明は、請求項１に記載した遊技台管理装置であって、前記抽出条件設定手段は、前記抽出条件として前記遊技台の台番号と日付を設定することを特徴とする遊技台管理装置である。
【０００９】
また請求項３に係る発明は、請求項１に記載した遊技台管理装置であって、前記抽出条件設定手段は、前記抽出条件として前記遊技台の機種と日付を設定することを特徴とする遊技台管理装置である。
【００１０】
また請求項４に係る発明は、請求項２又は３に記載した遊技台管理装置であって、予め定められた期間を記憶する期間記憶手段をさらに備え、前記抽出条件設定手段により前記抽出条件として日付を設定する際に、該期間記憶手段により記憶されている予め定められた期間から選択して設定することを特徴とする遊技台管理装置である。
【００１１】
また請求項５に係る発明は、請求項１〜４のいずれか１つに記載した遊技台管理装置であって、前記グラフ表示制御手段は、前記遊技関連情報の時間変化をグラフ化して表示させる制御を行うことを特徴とする遊技台管理装置である。
【００１２】
また請求項６に係る発明は、請求項１〜５のいずれか１つに記載した遊技台管理装置であって、前記グラフ表示制御手段は、前記グラフ化した複数の遊技関連情報の各々を並べて表示させる制御を行うことを特徴とする遊技台管理装置である。
【００１３】
また請求項７に係る発明は、請求項１〜６のいずれか１つに記載した遊技台管理装置であって、予め定められた複数種類のグラフレンジのパターンを記憶するグラフレンジ記憶手段をさらに備え、前記グラフレンジ決定手段は、前記検出手段により検出された遊技関連情報の最大値に応じたグラフレンジを、前記グラフレンジ記憶手段により記憶されている複数種類のグラフレンジのパターンから選択して決定することを特徴とする遊技台管理装置である。
【００１４】
さらに請求項８に係る発明は、請求項１〜７のいずれか１つに記載した遊技台管理装置であって、前記検出手段は、前記抽出手段により抽出された複数の遊技関連情報から最大値と最小値を検出し、前記グラフレンジ決定手段は、該検出手段により検出された複数の遊技関連情報の最大値と最小値に応じたグラフレンジを決定することを特徴とする遊技台管理装置である。
【００１５】
【発明の実施の形態】
以下、本発明の実施の形態を、図面を参照して説明する。本発明に係る遊技台管理装置３０は、遊技台（ここではパチンコ台Ｐ）における遊技に関連して発生する遊技関連情報を管理すると共に、該管理している遊技関連情報をグラフ化して表示するためのものであり、特に複数の遊技関連情報の各々をグラフ化して表示する際に、該複数の遊技関連情報の各々を一連性のある（バラバラでない）グラフレンジでグラフ化して表示できるようなものである。
【００１６】
本発明に係る遊技台管理装置３０を含む遊技用管理システム１は、図１に示すように、遊技場内の遊技島２に設けられる台端末１０と、遊技場内の所定箇所（例えば管理事務所等）に設けられる中継コンピュータ２０と、遊技場内の所定箇所（例えば管理事務所等）に設けられる遊技台管理装置３０からなり、台端末１０は中継コンピュータ２０を介して遊技台管理装置３０と通信可能に接続されている。
【００１７】
ここで台端末１０は、複数のパチンコ台Ｐ及び玉貸ユニットＵに対応して設けられ、該対応するパチンコ台Ｐ及び玉貸ユニットＵと予め定められた所定の順序で接続可能な複数の接続端子（ここでは４つの接続端子Ａ，Ｂ，Ｃ，Ｄ）を有し、各接続端子に割り当てられた各パチンコ台Ｐ及び玉貸ユニットＵから遊技関連情報を収集して中継コンピュータ２０に送信するものである。また中継コンピュータ２０は、台端末１０から送信された遊技関連情報を中継して遊技台管理装置３０に送信するものである。
【００１８】
なお１台の遊技台管理装置３０には最高で１０台の中継コンピュータ２０を接続可能であり、１台の中継コンピュータ２０には最高で４４台の台端末１０を接続可能であり、１台の台端末１０には最高で４台のパチンコ台Ｐ及び玉貸ユニットＵを接続可能である。また台端末１０には、後述する貨幣を収集して保管する金庫や、後述するパチンコ玉を計数する計数機や、後述するプリペイドカードを販売する販売機も接続可能である。
【００１９】
遊技場内に設けられる遊技島２においては、パチンコ台Ｐ及び玉貸ユニットＵが所定の位置に配置されている。ここで遊技島２は島番号（１番島，２番島…）により識別可能とされており、パチンコ台Ｐは台番号（１番台，２番台…）により識別可能とされている。この図１に示す例では、１番島において、左端から右端に向けて１番台〜１０番台（ただし４番台と９番台は欠番）の８台のパチンコ台Ｐ及び玉貸ユニットＵが配置されている。また１番島の背後に設けられた２番島において、折り返して右端から左端に向けて１１番台〜２０番台（ただし１４番台と１９番台は欠番）の８台のパチンコ台Ｐ及び玉貸ユニットＵが配置されている。なお３番島以下においても、前記１番島及び２番島に準じて、パチンコ台Ｐ及び玉貸ユニットＵが所定の位置に配置されている。そして各パチンコ台Ｐ及び玉貸ユニットＵは、台番号が若い順に４台毎に、各台端末１０の各接続端子Ａ，Ｂ，Ｃ，Ｄに接続されている。
【００２０】
以下、図１に示す各構成要素について説明する。パチンコ台Ｐは遊技台の一例であって、遊技媒体であるパチンコ玉を遊技領域に打ち込むことにより遊技を行うものであり、遊技領域には、始動入賞口，大入賞口，一般入賞口等の複数の入賞口や、複数種類の識別情報である図柄を可変表示可能な可変表示装置等が設けられている。
【００２１】
このパチンコ台Ｐからは、遊技関連情報として、以下に説明するスタート信号，特賞信号，確変信号，アウト玉信号，及びセーフ玉信号の各種の信号が出力される。
【００２２】
具体的には、まず遊技領域に打ち込まれて遊技に使用されたパチンコ玉（以下「打込玉」という。）が始動入賞口に入賞した場合には、可変表示装置の可変表示が開始されて所定時間の経過後に該可変表示が停止すると共に、該可変表示の停止を特定可能な情報として、１パルスのスタート信号が出力される。
【００２３】
また可変表示装置の表示結果が予め定められた所定態様となった場合には、遊技者にとって有利な遊技状態（いわゆる特賞＝大当り）が発生して、閉成されていた大入賞口が開成されて前記打込玉が大入賞口に入賞可能になると共に、該特賞の発生を特定可能な情報として、該特賞の発生から終了までの間において継続的な特賞信号が出力される。
【００２４】
また可変表示装置の表示結果が予め定められた特別の所定態様となった場合には、前記特賞の発生確率が通常確率から高確率に変動する確率変動状態（以下単に「確変」という。）が発生して、該確変の発生を特定可能な情報として、該確変の発生から終了までの間において継続的な確変信号が出力される。この確変は、初回の特賞の発生を含めて例えば合計２回の特賞が発生することにより通常確率に復帰して終了すると共に、該２回目の特賞が前記特別の所定態様となった場合には、該確変が継続（いわゆる連チャン）する。
【００２５】
なお各入賞口に入賞した打込玉及びいずれの入賞口にも入賞しなかった打込玉は、パチンコ台Ｐの背後に設けられたアウトタンクに導かれ、該アウトタンクに付設された打込玉カウンタにて打込玉数が計数されると共に、該打込玉数を特定可能な情報として、１０個のパチンコ玉が計数される毎に１パルスのアウト玉信号が出力される。
【００２６】
また補給樋からパチンコ台Ｐに対してパチンコ玉が補給された場合には、該補給樋に付設された補給玉カウンタにて補給玉数が計数されると共に、該補給玉数を特定可能な情報として、１０個のパチンコ玉が計数される毎に１パルスのセーフ玉信号が出力される。なお遊技の結果として遊技者の所有となったパチンコ玉は、遊技島２の端部や中央部等に設けられた計数機にて計数される。
【００２７】
ここで遊技台はパチンコ台Ｐには限られず、遊技者所有の有価価値（例えばメダル）を賭数として使用することで遊技が可能となり、複数種類の識別情報を可変表示可能な可変表示装置を含み、該可変表示装置の表示結果が導出表示されることにより１ゲームが終了すると共に、予め定められた所定条件を満たすときに、遊技者にとって有利な遊技状態である第１の特別遊技状態（いわゆるビッグボーナス）と、該第１の特別遊技状態とは異なる遊技者にとって有利な遊技状態である第２の特別遊技状態（いわゆるレギュラーボーナス）が発生するパチスロ台でも良い。このパチスロ台からは、遊技関連情報として、前記ゲーム数を特定可能なスタート信号，前記ビッグボーナスの発生を特定可能な特賞信号，前記レギュラーボーナスの発生を特定可能なＲＥＧボーナス信号，該ビッグボーナス及びレギュラーボーナス以外の遊技者にとって有利な遊技状態（例えばアシストタイムや、特別遊技状態の発生確率が通常確率から高確率に変動する確率変動状態）の発生を特定可能な確変信号，使用されたメダル数を特定可能なアウト玉信号，及び払い出されたメダル数を特定可能なセーフ玉信号の各種の信号が出力される。
【００２８】
玉貸ユニットＵは、パチンコ台Ｐに対応して（ここではパチンコ台Ｐの左側に隣接して）設けられており、該パチンコ台Ｐと同一の接続端子に接続される。この玉貸ユニットＵは、貨幣（例えば１００円硬貨，５００円硬貨，又は１０００円紙幣）を受け付け、該受け付けた貨幣を識別し、該識別された貨幣額に相当するパチンコ玉を、玉貸ユニットＵの内部に設けられた玉払出装置から払い出して貸し出すもの（いわゆる現金ユニット）である。この玉貸ユニットＵからは、遊技関連情報として、パチンコ玉の貸出が行われた場合に、該貸出に使用された貨幣額を特定可能な現金売上信号が出力される。なお玉貸ユニットＵにて受け付けられた貨幣は、遊技島２の内部に設けられた金庫に収集されて保管される。
【００２９】
また玉貸ユニットＵは、遊技に使用可能な遊技用有価価値の大きさ（例えば残度数）を特定可能な情報が記録された記録媒体（例えばプリペイドカード）を受け付け、該受け付けた記録媒体の記録情報を読み取り、該読み取った記録情報から特定される遊技用有価価値の大きさの範囲内における所定の遊技用有価価値の大きさに相当するパチンコ玉を、パチンコ台Ｐとの間でパチンコ玉の貸出に関する信号のやり取りを行うことによりパチンコ台Ｐの内部に設けられた玉払出装置から払い出して貸し出すもの（いわゆるＣＲユニット）でも良い。この玉貸ユニットＵからは、遊技関連情報として、パチンコ玉の貸出が行われた場合に、該貸出に使用された遊技用有価価値の大きさを特定可能なＣＲ売上信号が出力される。なお玉貸ユニットＵにて使用されるプリペイドカードは、遊技島２の端部や中央部等に設けられた販売機にて販売される。
【００３０】
なお前記遊技台がパチンコ台Ｐではなくパチスロ台である場合には、該パチスロ台に対応して玉貸ユニットＵではなくメダル貸ユニットが設けられ、このメダル貸ユニットからは、遊技関連情報として、メダルの貸出が行われた場合に、前記現金売上情報又はＣＲ売上情報が出力される。
【００３１】
以上に説明した各種の信号（遊技関連情報を含む）は、パチンコ台Ｐ及び玉貸ユニットＵから出力されて台端末１０にパラレル転送され、台端末１０でシリアル変換されて中継コンピュータ２０にシリアル転送され、中継コンピュータ２０から遊技台管理装置３０に送信される。
【００３２】
遊技台管理装置３０は、遊技台における遊技に関連して発生する遊技関連情報を管理する管理手段と、該管理手段により管理している遊技関連情報をグラフ化して表示させるためのグラフ表示制御手段と、を備えるものである。具体的には、管理手段である遊技関連情報データベース（以下「遊技関連情報ＤＢ」という。）３３ａは、遊技関連情報である特賞回数，確変回数，差玉数，特賞間スタート，及び売上金額等を記憶して管理し（図３を参照）、グラフ表示制御手段である制御部３２は、差玉数の時間変化をグラフ化したスランプグラフ（図８，図９を参照），特賞回数に対応する特賞間スタートをグラフ化した特賞履歴グラフ（図１０，図１１を参照），又は売上時間帯別の売上金額をグラフ化した時間帯別売上グラフ（図１２，図１３を参照）をディスプレイ３４に表示させる。そして、この遊技台管理装置３０は、複数の遊技関連情報の各々をグラフ化して表示する際に、該複数の遊技関連情報の各々を一連性のある（バラバラでない）グラフレンジでグラフ化して表示する（図８〜図１３を参照）点に特徴がある。
【００３３】
この遊技台管理装置３０は、図１に示すように接続される通信部３１，制御部３２，ハードディスク３３，ディスプレイ３４，及び入力装置３５等を備えている。ここでハードディスク３３には、遊技関連情報ＤＢ３３ａが記憶されている。通信部３１は、中継コンピュータ２０と通信可能に接続され、遊技台管理装置３０と中継コンピュータ２０との間における通信を司るものである。これにより、前述の如く、パチンコ台Ｐ及び玉貸ユニットＵにて発生した遊技関連情報が台端末１０と中継コンピュータ２０を介して遊技台管理装置３０に送信される。制御部３２は、ＣＰＵ，ＲＡＭ，ＲＯＭ等を備えるコンピュータであり、ハードディスク３３に記憶されている処理プログラムがＲＡＭを作業領域としてＣＰＵで実行されることにより、遊技台管理装置３０の全体を制御して各種の処理を行うものである。
【００３４】
この制御部３２は、後述する抽出条件設定手段により設定された抽出条件に基づいた遊技関連情報を（遊技関連情報ＤＢ３３ａに記憶されている遊技関連情報から）抽出する抽出手段として機能するものである。また制御部３２は、該抽出手段により抽出された複数の遊技関連情報から少なくとも最大値を検出する検出手段として機能するものである。また制御部３２は、該検出手段により検出された複数の遊技関連情報の最大値に応じたグラフレンジを決定するグラフレンジ決定手段として機能するものである。さらに制御部３２は、前記グラフ表示制御手段として機能するものであり、前記複数の遊技関連情報の各々をグラフ化して表示させる際に、前記グラフレンジ決定手段により決定されたグラフレンジでグラフ化してディスプレイ３４に表示させる制御が行われる。なおグラフ表示制御手段は、遊技関連情報の時間変化をグラフ化して表示させる制御を行い、またグラフ化した複数の遊技関連情報の各々を並べて表示させる制御を行う。
【００３５】
また制御部３２は、予め定められた複数種類のグラフレンジのパターンを記憶するグラフレンジ記憶手段として機能するものであり、具体的には、図２に示すように、表示されるグラフの種類毎に、該グラフの縦軸及び必要に応じて横軸に表示される遊技関連情報の値に応じた各５種類のグラフレンジのパターンが、制御部３２のＲＯＭに記憶されている。ここで前記グラフレンジ決定手段として機能する制御部３２は、前記検出手段により検出された遊技関連情報の最大値（差玉数の場合には＋側最大値と−側最大値）に応じたグラフレンジを、前記グラフレンジ記憶手段により記憶されている複数種類のグラフレンジのパターンから選択して決定する。
【００３６】
さらに制御部３２は、予め定められた期間を記憶する期間記憶手段として機能するものであり、具体的には、後述する図５に示すように、該期間として８日間，３日間，及び１日間が、制御部３２のＲＯＭに記憶されている。この期間は、後述する抽出条件設定手段により設定される抽出条件として設定されるものである。以上に説明した制御部３２における各機能の詳細については、図４〜図１３を参照して後述する。
【００３７】
遊技関連情報ＤＢ３３ａは前記管理手段の一例であって、図３に示すように、遊技関連情報である特賞回数，確変回数，差玉数，特賞間スタート，及び売上金額等を記憶して管理するものである。この遊技関連情報ＤＢ３３ａには、日付毎のデータテーブルが設けられており、各データテーブルには、機種及び台番号に対応付けて、時刻，特賞回数，確変回数，差玉数，特賞間スタート，売上時間帯，及び売上金額の記憶欄が設けられている。この遊技関連情報ＤＢ３３ａでは、以下のようにして遊技関連情報が記憶される。
【００３８】
まず遊技場の営業開始後において、いずれかの信号を受信した場合に、遊技開始の時刻が記憶されると共に、遊技関連情報の算出及び記憶が開始される。即ち、アウト玉信号の受信数がカウントされてアウト玉数が算出され、セーフ玉信号の受信数がカウントされてセーフ玉数が算出され、アウト玉数−セーフ玉数の式で差玉数が算出される。この差玉数がプラスであれば遊技場側の利益となり、差玉数がマイナスであれば遊技場側の不利益となる。またスタート信号の受信数がカウントされてスタート回数が算出される。
【００３９】
次に特賞信号の立ち上がりを受信した場合に、特賞発生の時刻が記憶されると共に、特賞回数，その時点における差玉数，及びその時点におけるスタート回数が特賞間スタートとして記憶される。そして特賞信号の立ち下がりを受信した場合に、特賞終了の時刻が記憶されると共に、その時点における差玉数が記憶され、スタート回数のカウンタがリセットされる。また確変信号の立ち上がりを受信した場合には、確変回数の記憶欄に○印が記憶される。なお確変中でない状態で発生した特賞に対応する特賞間スタートには「通常」と記憶され、確変中である状態で発生した特賞に対応する特賞間スタートには「確変」と記憶される。そして後述する特賞履歴グラフの作成時には「通常」と記憶された特賞間スタートのみが抽出される。
【００４０】
一方、特賞信号の受信とは無関係に、現金売上信号又はＣＲ売上信号の受信数がカウントされて売上金額が算出され、該売上金額が売上時間帯別に記憶される。そして遊技場の営業終了後において、特賞回数，確変回数，差玉数，特賞間スタート，及び売上金額の遊技台毎の合計が算出されて記憶されると共に、特賞回数，確変回数，差玉数，特賞間スタート，及び売上金額の機種毎の平均が算出されて記憶される。
【００４１】
ディスプレイ３４は各種の情報を表示するためのものであり、例えば液晶表示器である。入力装置３５は各種の入力を受け付けるためのものであり、例えばキーボード及びマウスである。これらディスプレイ３４及び入力装置３５は、前記管理手段により管理している遊技関連情報から所望の遊技関連情報を抽出するための抽出条件を設定する抽出条件設定手段として機能するものである。この抽出条件設定手段では、該抽出条件として、遊技台の台番号と日付，又は遊技台の機種と日付を設定可能であり、具体的には、一つの台番号と複数の日付（図６（ａ）の左図を参照），一つの機種と複数の日付（図６（ａ）の右図を参照），複数の台番号と一つの日付（図６（ｂ）の左図を参照），又は複数の機種と一つの日付（図６（ｂ）の右図を参照）を設定可能である。
【００４２】
以下、図４〜図７を参照して、遊技台管理装置３０におけるディスプレイ３４の表示及び入力装置３５の操作について説明する。まず図４は遊技台管理装置３０のディスプレイ３４に表示されるグラフ選択画面の一例を表す図である。遊技台管理装置３０では、図示しない管理画面上のメニューからグラフモードが選択されると、図４に示すグラフ選択画面がディスプレイ３４に表示される。このグラフ選択画面では、画面の左側に、ディスプレイ３４に表示されるグラフの種類を選択するための「スランプグラフ」ボタン，「特賞履歴グラフ」ボタン，及び「時間帯別売上グラフ」ボタンが表示されると共に、画面の右側に、サブメニューを選択するためのボタンが表示される。
【００４３】
ここで入力装置３５が操作されて、「スランプグラフ」ボタン，「特賞履歴グラフ」ボタン，又は「時間帯別売上グラフ」ボタンのいずれかが操作されると、該操作されたボタンに対応するグラフがディスプレイ３４に表示されるグラフとして設定されて、図５に示す期間選択画面がディスプレイ３４に表示される。なおサブメニューにおいて、「管理画面」ボタン又は「戻る」ボタンが操作されると、図示しない管理画面に戻る。
【００４４】
次に図５は遊技台管理装置３０のディスプレイ３４に表示される期間選択画面の一例を表す図である。この期間選択画面では、画面の左側に、前記図５に示すグラフ選択画面により選択されたグラフの種類（ここではスランプグラフ）と、予め定められた期間を選択するための「８日分」ボタン，「３日分」ボタン，及び「１日分」ボタンが表示されると共に、画面の右側に、サブメニューを選択するためのボタンが表示される。
【００４５】
ここで入力装置３５が操作されて、複数の日付である「８日分」ボタン又は「３日分」ボタンが操作されると、該操作されたボタンに対応する「８日分」又は「３日分」の期間が抽出条件として設定されて、図６（ａ）に示す抽出条件設定ウィンドゥが期間選択画面上に表示される。また入力装置３５が操作されて、一つの日付である「１日分」ボタンが操作されると、該操作されたボタンに対応する「１日分」の期間が抽出条件として設定されて、図６（ｂ）に示す抽出条件設定ウィンドゥが期間選択画面上に表示される。このように、抽出条件として日付を設定する際に、予め定められた期間から選択して設定できるので、該設定を効率良く行うことができる。なおサブメニューにおいて、「管理画面」ボタンが操作されると、図示しない管理画面に戻り、「戻る」ボタンが操作されると、図４に示すグラフ選択画面に戻る。
【００４６】
次に図６は図５に示す期間選択画面上に表示される抽出条件設定ウィンドゥの一例を表す図であり、（ａ）は期間として３日分が設定された場合を表し、（ｂ）は期間として１日分が設定された場合を表す。これら抽出条件設定ウィンドゥでは、画面の中央に表示されるラジオボタンの選択により表示内容が切り替えられ、具体的には、「台別」ボタンが選択されると、左図に示すように台番号の設定が可能になり、「機種別」ボタンが選択されると、右図に示すように機種の設定が可能になる。
【００４７】
まず図６（ａ）の左図に示す抽出条件設定ウィンドゥでは、画面の上側から順に、日付設定欄，前記ラジオボタン，及び台番号設定欄が表示され、画面の右下側に、「実行」ボタン及び「取消」ボタンが表示される。ここで日付設定欄は、上段のテキストボックスと下段のコンボボックスからなり、下段のコンボボックスには遊技関連情報ＤＢ３３ａにより遊技関連情報が記憶されている日付が選択肢として表示され、入力装置３５が操作されて該選択肢の中から任意の日付が選択されると、該選択された日付から３日分遡った日付が上段のテキストボックスに表示される。また台番号設定欄は、遊技場内に設けられる遊技台の台番号が選択肢として表示されるコンボボックスであり、入力装置３５が操作されて該選択肢の中から一つの台番号が選択されると、該選択された台番号が表示される。
【００４８】
そして入力装置３５が操作されて「実行」ボタンが操作されると、遊技関連情報ＤＢ３３ａにより管理している遊技関連情報から複数の該遊技関連情報を抽出するための抽出条件として、日付設定欄に表示されている複数の日付（ここでは３日分の期間）と、台番号設定欄に表示されている一つの台番号が設定され、該設定された抽出条件に基づいて、抽出手段として機能する制御部３２により、複数の遊技関連情報が抽出される。このように、抽出条件として一つの台番号と複数の日付を設定した場合には、該台番号に係る遊技関連情報が該複数の日付について抽出され、該抽出された遊技関連情報が各日付毎にグラフ化されて表示されるので（図８，図１０，図１２を参照）、各日付毎に台番号別の遊技関連情報の比較検討を行うことができる。従って、遊技台の調整や入替等の検討に役立つ。なお「取消」ボタンが操作されると、抽出条件設定ウィンドゥが閉じる。
【００４９】
また図６（ａ）の右図に示す抽出条件設定ウィンドゥでは、画面の上側から順に、日付設定欄，前記ラジオボタン，及び機種設定欄が表示され、画面の右下側に、「実行」ボタン及び「取消」ボタンが表示される。ここで日付設定欄は、前記図６（ａ）の左図に示すのと同様のものである。また機種設定欄は、遊技場内に設けられる遊技台の機種が選択肢として表示されるコンボボックスであり、入力装置３５が操作されて該選択肢の中から一つの機種が選択されると、該選択された機種が表示される。
【００５０】
そして入力装置３５が操作されて「実行」ボタンが操作されると、遊技関連情報ＤＢ３３ａにより管理している遊技関連情報から複数の該遊技関連情報を抽出するための抽出条件として、日付設定欄に表示されている複数の日付（ここでは３日分の期間）と、機種設定欄に表示されている一つの機種が設定され、該設定された抽出条件に基づいて、抽出手段として機能する制御部３２により、複数の遊技関連情報が抽出される。このように、抽出条件として一つの機種と複数の日付を設定した場合には、該機種に係る遊技関連情報が該複数の日付について抽出され、該抽出された遊技関連情報が各日付毎にグラフ化されて表示されるので、各日付毎に機種別の遊技関連情報の比較検討を行うことができる。従って、遊技台の調整や入替等の検討に役立つ。なお「取消」ボタンが操作されると、抽出条件設定ウィンドゥが閉じる。
【００５１】
なお前記図５に示す期間設定画面で、期間として８日分が設定された場合には、図６（ａ）に示す抽出条件設定ウィンドゥに準じた画面が表示され、日付設定欄では、下段のコンボボックスで選択された日付から８日分遡った日付が上段のテキストボックスに表示される。そして台番号又は機種が選択された後に「実行」ボタンが操作されると、前記期間として３日分が設定された場合と同様にして、８日分の遊技関連情報が抽出される。
【００５２】
次に図６（ｂ）の左図に示す抽出条件設定ウィンドゥでは、画面の上側から順に、日付設定欄，前記ラジオボタン，及び台番号設定欄が表示され、画面の右下側に、「実行」ボタン及び「取消」ボタンが表示される。ここで日付設定欄は、遊技関連情報ＤＢ３３ａにより遊技関連情報が記憶されている日付が選択肢として表示されるコンボボックスであり、入力装置３５が操作されて該選択肢の中から任意の日付が選択されると、該選択された日付が表示される。また台番号設定欄は、遊技場内に設けられる遊技台の台番号が選択肢として表示されるコンボボックスであり、入力装置３５が操作されて該選択肢の中から複数の台番号が選択されると、該選択された複数の台番号が反転表示される。
【００５３】
そして入力装置３５が操作されて「実行」ボタンが操作されると、遊技関連情報ＤＢ３３ａにより管理している遊技関連情報から複数の該遊技関連情報を抽出するための抽出条件として、日付設定欄に表示されている一つの日付と、台番号設定欄に表示されている複数の台番号が設定され、該設定された抽出条件に基づいて、抽出手段として機能する制御部３２により、複数の遊技関連情報が抽出される。このように、抽出条件として複数の台番号と一つの日付を設定した場合には、該日付に係る遊技関連情報が複数の台番号について抽出され、該抽出された遊技関連情報が各台番号毎にグラフ化されて表示されるので（図９，図１１，図１３を参照）、各台番号毎に日付別の遊技関連情報の比較検討を行うことができる。従って、遊技台の調整や入替等の検討に役立つ。なお「取消」ボタンが操作されると、抽出条件設定ウィンドゥが閉じる。
【００５４】
また図６（ｂ）の右図に示す抽出条件設定ウィンドゥでは、画面の上側から順に、日付設定欄，前記ラジオボタン，及び機種設定欄が表示され、画面の右下側に、「実行」ボタン及び「取消」ボタンが表示される。ここで日付設定欄は、前記図６（ｂ）の左図に示すのと同様のものである。また機種設定欄は、遊技場内に設けられる遊技台の機種が選択肢として表示されるコンボボックスであり、入力装置３５が操作されて該選択肢の中から複数の機種が選択されると、該選択された複数の機種が反転表示される。
【００５５】
そして入力装置３５が操作されて「実行」ボタンが操作されると、遊技関連情報ＤＢ３３ａにより管理している遊技関連情報から複数の該遊技関連情報を抽出するための抽出条件として、日付設定欄に表示されている一つの日付と、機種設定欄に表示されている複数の機種が設定され、該設定された抽出条件に基づいて、抽出手段として機能する制御部３２により、複数の遊技関連情報が抽出される。このように、抽出条件として複数の機種と一つの日付を設定した場合には、該日付に係る遊技関連情報が複数の機種について抽出され、該抽出された遊技関連情報が各機種毎にグラフ化されて表示されるので、各機種毎に日付別の遊技関連情報の比較検討を行うことができる。従って、遊技台の調整や入替等の検討に役立つ。なお「取消」ボタンが操作されると、抽出条件設定ウィンドゥが閉じる。
【００５６】
次に図７は遊技台管理装置３０のディスプレイ３４に表示されるグラフ表示画面の一例を表す図である。遊技台管理装置３０では、前記図６に示す抽出条件設定画面において抽出条件が設定されると、抽出手段として機能する制御部３２により、該設定された抽出条件に基づいた遊技関連情報が抽出され、検出手段として機能する制御部３２により、該抽出された複数の遊技関連情報から少なくとも最大値が検出され、グラフレンジ決定手段として機能する制御部３２により、該検出された遊技関連情報の最大値に応じたグラフレンジが、グラフレンジ記憶手段として機能する制御部３２により記憶されている複数種類のグラフレンジのパターンから選択されて決定され、グラフ表示制御手段として機能する制御部３２の制御により、前記抽出された複数の遊技関連情報の各々が前記決定されたグラフレンジでグラフ化されて、図７に示すグラフ表示画面がディスプレイ３４に表示される。
【００５７】
このグラフ表示画面では、画面の左側に、グラフ表示領域及びスクロールバーが表示され、画面の右側に、サブメニューを選択するためのボタンが表示される。ここでグラフ表示領域には、前記グラフ化された複数の遊技関連情報（図８〜図１３を参照）が表示される。またサブメニューには、「スランプグラフ」ボタン，「特賞履歴グラフ」ボタン，及び「時間帯別売上グラフ」ボタンが設けられており、グラフ表示領域に表示されているグラフの種類に対応するボタン（ここでは「スランプグラフ」ボタン）が反転表示され、該反転表示されていないボタン（ここでは「特賞履歴グラフ」ボタン又は「時間帯別売上グラフ」ボタン）が操作されると、該操作されたボタンが反転表示されると共に、該操作されたボタンに対応するグラフがグラフ表示領域に表示される。なおサブメニューにおいて、「管理画面」ボタンが操作されると、図示しない管理画面に戻り、「戻る」ボタンが操作されると、図５に示す期間選択画面に戻る。
【００５８】
以下、図８〜図１３を参照して、グラフ表示領域に表示されるグラフについて説明する。まず図８はグラフ表示領域に表示されるスランプグラフの一例を表す図であり、期間として３日分，台番号として１番台が設定された場合を表す。遊技台管理装置３０では、図４に示すグラフ選択画面においてスランプグラフが選択され、図６（ａ）の左図に示す抽出条件設定ウィンドゥにおいて複数の日付として２００２年９月１日から同３日，一つの台番号として１番台が設定されると、以下のようにして図８に示すスランプグラフがグラフ表示領域に表示される。
【００５９】
まず前記設定された抽出条件に基づいて、遊技関連情報ＤＢ３３ａにより管理されている遊技関連情報から１番台における２００２年９月１日から同３日までの差玉数が抽出される。次に該抽出された差玉数の＋側最大値（ここでは９月２日のグラフに見られる約＋８４００個）と−側最大値（ここでは９月１日のグラフに見られる約−９０００個）が検出される。次に該検出された差玉数の＋側最大値と−側最大値に応じたグラフレンジが、図２に示すように制御部３２により記憶されている複数種類のグラフレンジのパターンから選択されて決定されるが、ここでは該＋側最大値が＋１００００個までで該−側最大値が−１００００個までであるので、縦軸のグラフレンジとして第２パターンが選択される。なお横軸のグラフレンジは一定である。
【００６０】
次に該選択されたグラフレンジに基づいて、差玉数を表す縦軸レンジが＋１００００個から−１００００個の範囲であり、時刻を表す横軸レンジが１０時〜２３時の範囲である座標軸が作成され、該作成された座標軸上において、時刻に応じた差玉数がプロットされて折線で結ばれることにより、差玉数の時間変化をグラフ化したスランプグラフ（折線グラフ）が作成される。このように、遊技関連情報の時間変化がグラフ化されて表示されるので、遊技場の営業戦略を立てる上で役立つ。即ち遊技関連情報の時間変化のグラフを参考にして、例えば稼働が良好な時に放送を行ったり、また稼働が不良な時にサービスタイム等のイベントを行うことができる。そして、このスランプグラフが、９月１日から同３日までの３日分について一連性のある（バラバラでない）グラフレンジで作成され、該作成されたスランプグラフの各々がグラフ表示領域に並べて表示される。
【００６１】
次に図９はグラフ表示領域に表示されるスランプグラフの一例を表す図であり、期間として１日分，台番号として１番台〜３番台が設定された場合を表す。遊技台管理装置３０では、図４に示すグラフ選択画面においてスランプグラフが選択され、図６（ｂ）の左図に示す抽出条件設定ウィンドゥにおいて一つの日付として２００２年９月１日，複数の台番号として１番台〜３番台が設定されると、以下のようにして図９に示すスランプグラフがグラフ表示領域に表示される。
【００６２】
まず前記設定された抽出条件に基づいて、遊技関連情報ＤＢ３３ａにより管理されている遊技関連情報から２００２年９月１日における１番台〜３番台までの差玉数が抽出される。次に該抽出された差玉数の＋側最大値（ここでは９月２日のグラフに見られる約＋８０００個）と−側最大値（ここでは９月１日のグラフに見られる約−９０００個）が検出される。次に該検出された差玉数の＋側最大値と−側最大値に応じたグラフレンジが、図２に示すように制御部３２により記憶されている複数種類のグラフレンジのパターンから選択されて決定されるが、ここでは該＋側最大値が＋１００００個までで該−側最大値が−１００００個までであるので、縦軸のグラフレンジとして第２パターンが選択される。なお横軸のグラフレンジは一定である。
【００６３】
次に該選択されたグラフレンジに基づいて、差玉数を表す縦軸レンジが＋１００００個から−１００００個の範囲であり、時刻を表す横軸レンジが１０時〜２３時の範囲である座標軸が作成され、該作成された座標軸上において、時刻に応じた差玉数がプロットされて折線で結ばれることにより、差玉数の時間変化をグラフ化したスランプグラフ（折線グラフ）が作成される。このように、遊技関連情報の時間変化がグラフ化されて表示されるので、遊技場の営業戦略を立てる上で役立つ。即ち遊技関連情報の時間変化のグラフを参考にして、例えば稼働が良好な時に放送を行ったり、また稼働が不良な時にサービスタイム等のイベントを行うことができる。そして、このスランプグラフが、１番台〜３番台までの３台分について一連性のある（バラバラでない）グラフレンジで作成され、該作成されたスランプグラフの各々がグラフ表示領域に並べて表示される。
【００６４】
次に図１０はグラフ表示領域に表示される特賞履歴グラフの一例を表す図であり、期間として３日分，台番号として１番台が設定された場合を表す。遊技台管理装置３０では、図４に示すグラフ選択画面において特賞履歴グラフが選択され、図６（ａ）の左図に示す抽出条件設定ウィンドゥにおいて複数の日付として２００２年９月１日から同３日，一つの台番号として１番台が設定されると、以下のようにして図１０に示す特賞履歴グラフがグラフ表示領域に表示される。
【００６５】
まず前記設定された抽出条件に基づいて、遊技関連情報ＤＢ３３ａにより管理されている遊技関連情報から１番台における２００２年９月１日から同３日までの特賞間スタート（通常のみ）と特賞回数（通常のみ）が抽出される。次に該抽出された特賞間スタートの最大値（ここでは９月２日のグラフに見られる約１０４０回）と、特賞回数の最大値（ここでは９月１日及び同２日のグラフに見られる７回）が検出される。次に該検出された特賞間スタートの最大値と特賞回数の最大値に応じたグラフレンジが、図２に示すように制御部３２により記憶されている複数種類のグラフレンジのパターンから選択されて決定されるが、ここでは特賞間スタートの最大値が１５００回までであるので、縦軸のグラフレンジとして第３パターンが選択され、特賞回数の最大値が１０回までであるので、横軸のグラフレンジとして第２パターンが選択される。
【００６６】
次に該選択されたグラフレンジに基づいて、特賞間スタートを表す縦軸レンジが０回から１５００回の範囲であり、特賞回数を表す横軸レンジが１回から１０回の範囲である座標軸が作成され、該作成された座標軸上において、特賞回数に応じた特賞間スタートが棒状に示されることにより、特賞回数に対応する特賞間スタートをグラフ化した特賞履歴グラフ（棒グラフ）が作成される。そして、この特賞履歴グラフが、９月１日から同３日までの３日分について一連性のある（バラバラでない）グラフレンジで作成され、該作成された特賞履歴グラフの各々がグラフ表示領域に並べて表示される。
【００６７】
次に図１１はグラフ表示領域に表示される特賞履歴グラフの一例を表す図であり、期間として１日分，台番号として１番台〜３番台が設定された場合を表す。遊技台管理装置３０では、図４に示すグラフ選択画面において特賞履歴グラフが選択され、図６（ｂ）の左図に示す抽出条件設定ウィンドゥにおいて一つの日付として２００２年９月１日，複数の台番号として１番台〜３番台が設定されると、以下のようにして図１１に示す特賞履歴グラフがグラフ表示領域に表示される。
【００６８】
まず前記設定された抽出条件に基づいて、遊技関連情報ＤＢ３３ａにより管理されている遊技関連情報から２００２年９月１日における１番台〜３番台までの特賞間スタート（通常のみ）と特賞回数（通常のみ）が抽出される。次に該抽出された特賞間スタートの最大値（ここでは９月２日のグラフに見られる約７００回）と、特賞回数の最大値（ここでは９月３日のグラフに見られる１０回）が検出される。次に該検出された特賞間スタートの最大値と特賞回数の最大値に応じたグラフレンジが、図２に示すように制御部３２により記憶されている複数種類のグラフレンジのパターンから選択されて決定されるが、ここでは特賞間スタートの最大値が１０００回までであるので、縦軸のグラフレンジとして第２パターンが選択され、特賞回数の最大値が１０回までであるので、横軸のグラフレンジとして第２パターンが選択される。
【００６９】
次に該選択されたグラフレンジに基づいて、特賞間スタートを表す縦軸レンジが０回から１０００回の範囲であり、特賞回数を表す横軸レンジが１回から１０回の範囲である座標軸が作成され、該作成された座標軸上において、特賞回数に応じた特賞間スタートが棒状に示されることにより、特賞回数に対応する特賞間スタートをグラフ化した特賞履歴グラフ（棒グラフ）が作成される。そして、この特賞履歴グラフが、１番台〜３番台までの３台分について一連性のある（バラバラでない）グラフレンジで作成され、該作成された特賞履歴グラフの各々がグラフ表示領域に並べて表示される。
【００７０】
次に図１２はグラフ表示領域に表示される時間帯別売上グラフの一例を表す図であり、期間として３日分，台番号として１番台が設定された場合を表す。遊技台管理装置３０では、図４に示すグラフ選択画面において時間帯別売上グラフが選択され、図６（ａ）の左図に示す抽出条件設定ウィンドゥにおいて複数の日付として２００２年９月１日から同３日，一つの台番号として１番台が設定されると、以下のようにして図１２に示す時間帯別売上グラフがグラフ表示領域に表示される。
【００７１】
まず前記設定された抽出条件に基づいて、遊技関連情報ＤＢ３３ａにより管理されている遊技関連情報から１番台における２００２年９月１日から同３日までの売上金額が抽出される。次に該抽出された売上金額の最大値（ここでは９月２日のグラフに見られる約２１０００円）が検出される。次に該検出された売上金額の最大値に応じたグラフレンジが、図２に示すように制御部３２により記憶されている複数種類のグラフレンジのパターンから選択されて決定されるが、ここでは売上金額の最大値が２５０００円までであるので、縦軸のグラフレンジとして第５パターンが選択される。なお横軸のグラフレンジは一定である。
【００７２】
次に該選択されたグラフレンジに基づいて、売上金額を表す縦軸レンジが０円から２５０００円の範囲であり、売上時間帯を表す横軸レンジに図３に示す売上時間帯が表された座標軸が作成され、該作成された座標軸上において、売上時間帯に応じた売上金額が棒状に示されることにより、売上時間帯別の売上金額をグラフ化した時間帯別売上グラフ（棒グラフ）が作成される。そして、この時間帯別売上グラフが、９月１日から同３日までの３日分について一連性のある（バラバラでない）グラフレンジで作成され、該作成された時間帯別売上グラフの各々がグラフ表示領域に並べて表示される。
【００７３】
次に図１３はグラフ表示領域に表示される時間帯別売上グラフの一例を表す図であり、期間として１日分，台番号として１番台〜３番台が設定された場合を表す。遊技台管理装置３０では、図４に示すグラフ選択画面において時間帯別売上グラフが選択され、図６（ｂ）の左図に示す抽出条件設定ウィンドゥにおいて一つの日付として２００２年９月１日，複数の台番号として１番台〜３番台が設定されると、以下のようにして図１３に示す時間帯別売上グラフがグラフ表示領域に表示される。
【００７４】
まず前記設定された抽出条件に基づいて、遊技関連情報ＤＢ３３ａにより管理されている遊技関連情報から２００２年９月１日における１番台〜３番台までの売上金額が抽出される。次に該抽出された売上金額の最大値（ここでは９月３日のグラフに見られる約１５５００円）が検出される。次に該検出された売上金額の最大値に応じたグラフレンジが、図２に示すように制御部３２により記憶されている複数種類のグラフレンジのパターンから選択されて決定されるが、ここでは売上金額の最大値が２００００円までであるので、縦軸のグラフレンジとして第４パターンが選択される。なお横軸のグラフレンジは一定である。
【００７５】
次に該選択されたグラフレンジに基づいて、売上金額を表す縦軸レンジが０円から２００００円の範囲であり、売上時間帯を表す横軸レンジに図３に示す売上時間帯が表された座標軸が作成され、該作成された座標軸上において、売上時間帯に応じた売上金額が棒状に示されることにより、売上時間帯別の売上金額をグラフ化した時間帯別売上グラフ（棒グラフ）が作成される。そして、この時間帯別売上グラフが、１番台〜３番台までの３台分について一連性のある（バラバラでない）グラフレンジで作成され、該作成された時間帯別売上グラフの各々がグラフ表示領域に並べて表示される。
【００７６】
なお、以上に説明した図８〜図１３では、図６に示す抽出条件設定ウィンドゥにおけるラジオボタンで「台別」が選択され（左図を参照）、該台別の遊技関連情報がグラフ化されて表示される例について説明したが、図６に示す抽出条件設定ウィンドゥにおけるラジオボタンで「機種別」が選択された場合には（右図を参照）、該機種別の遊技関連情報がグラフ化されて表示される。この場合には、該機種別の遊技関連情報の平均値がグラフ化されて表示されるようにしても良く、また該機種別の遊技関連情報の合計値がグラフ化されて表示されるようにしても良い。
【００７７】
以上に説明した本発明に係る遊技台管理装置３０によれば、複数の遊技関連情報の各々をグラフ化して表示させる際に、該複数の遊技関連情報から少なくとも最大値を検出し、該検出された複数の遊技関連情報の最大値に応じたグラフレンジを決定し、該決定されたグラフレンジで複数の遊技関連情報の各々がグラフ化されて表示されるので、該複数の遊技関連情報の各々が一連性のある（バラバラでない）グラフレンジでグラフ化されて表示される見易い表示となり、各遊技関連情報の比較検討や確認作業を正確かつ容易に行うことができる。
【００７８】
また本発明に係る遊技台管理装置３０によれば、グラフ化された複数の遊技関連情報の各々が並べて表示されるので、各遊技関連情報の比較検討や確認作業を正確かつ容易に行うことができる。なおグラフ化された複数の遊技関連情報の各々が一画面中に並べて表示しきれない場合には、図７に示すスクロールバーを操作することにより、該複数の遊技関連情報の各々をスクロール表示することができる。
【００７９】
さらに遊技関連情報の最大値に応じてその都度決定される多種多彩なグラフレンジで遊技関連情報を表示すると、該遊技関連情報の比較検討が面倒であると共にミスが多くなるが、本発明に係る遊技台管理装置３０によれば、複数種類のグラフレンジのパターンから選択されたグラフレンジで遊技関連情報がグラフ化されて表示されるので、各遊技関連情報を比較検討する際の誤りを減少でき、正確な確認作業を行うことができる。
【００８０】
以上に説明した実施形態と対応付けて本願の請求項に係る発明を説明すると、以下のとおりである。
【００８１】
まず請求項１に係る発明は、遊技台（パチンコ台Ｐ）における遊技に関連して発生する遊技関連情報を管理する管理手段（遊技関連情報ＤＢ３３ａ）と、該管理手段により管理している遊技関連情報をグラフ化して表示させるためのグラフ表示制御手段（制御部３２）と、を備える遊技台管理装置（３０）であって、前記管理手段により管理している遊技関連情報から所望の遊技関連情報を抽出するための抽出条件を設定する抽出条件設定手段（ディスプレイ３４及び入力装置３５）と、該抽出条件設定手段により設定された抽出条件に基づいた前記複数の遊技関連情報を抽出する抽出手段（制御部３２）と、該抽出手段により抽出された複数の遊技関連情報から少なくとも最大値を検出する検出手段（制御部３２）と、該検出手段により検出された複数の遊技関連情報の最大値に応じたグラフレンジを決定するグラフレンジ決定手段（制御部３２）と、を含み、前記グラフ表示制御手段は、前記複数の遊技関連情報の各々をグラフ化して表示させる際に、前記グラフレンジ決定手段により決定されたグラフレンジでグラフ化して表示させる制御を行うことを特徴とする遊技台管理装置である。
【００８２】
また請求項２に係る発明は、請求項１に記載した遊技台管理装置（３０）であって、前記抽出条件設定手段（ディスプレイ３４及び入力装置３５）は、前記抽出条件として前記遊技台（パチンコ台Ｐ）の台番号と日付を設定することを特徴とする遊技台管理装置である。
【００８３】
また請求項３に係る発明は、請求項１に記載した遊技台管理装置（３０）であって、前記抽出条件設定手段（ディスプレイ３４及び入力装置３５）は、前記抽出条件として前記遊技台（パチンコ台Ｐ）の機種と日付を設定することを特徴とする遊技台管理装置である。
【００８４】
また請求項４に係る発明は、請求項２又は３に記載した遊技台管理装置（３０）であって、予め定められた期間を記憶する期間記憶手段（制御部３２）をさらに備え、前記抽出条件設定手段（ディスプレイ３４及び入力装置３５）により前記抽出条件として日付を設定する際に、該期間記憶手段により記憶されている予め定められた期間から選択して設定することを特徴とする遊技台管理装置である。
【００８５】
また請求項５に係る発明は、請求項１〜４のいずれか１つに記載した遊技台管理装置（３０）であって、前記グラフ表示制御手段（制御部３２）は、前記遊技関連情報の時間変化をグラフ化して表示させる制御を行うことを特徴とする遊技台管理装置である。
【００８６】
また請求項６に係る発明は、請求項１〜５のいずれか１つに記載した遊技台管理装置（３０）であって、前記グラフ表示制御手段（制御部３２）は、前記グラフ化した複数の遊技関連情報の各々を並べて表示させる制御を行うことを特徴とする遊技台管理装置である。
【００８７】
また請求項７に係る発明は、請求項１〜６のいずれか１つに記載した遊技台管理装置（３０）であって、予め定められた複数種類のグラフレンジのパターンを記憶するグラフレンジ記憶手段（制御部３２）をさらに備え、前記グラフレンジ決定手段（制御部３２）は、前記検出手段（制御部３２）により検出された遊技関連情報の最大値に応じたグラフレンジを、前記グラフレンジ記憶手段により記憶されている複数種類のグラフレンジのパターンから選択して決定することを特徴とする遊技台管理装置である。
【００８８】
さらに請求項８に係る発明は、請求項１〜７のいずれか１つに記載した遊技台管理装置（３０）であって、前記検出手段（制御部３２）は、前記抽出手段（制御部３２）により抽出された複数の遊技関連情報から最大値と最小値を検出し、前記グラフレンジ決定手段（制御部３２）は、該検出手段により検出された複数の遊技関連情報の最大値と最小値に応じたグラフレンジを決定することを特徴とする遊技台管理装置である。
【００８９】
最後に、本発明の変形例について説明する。
【００９０】
上記の実施形態では、各種の情報を表示するディスプレイ３４と各種の入力を受け付ける入力装置３５が別個の装置で構成される例について説明したが、これに限らず、例えば各種の情報を表示すると共に各種の入力を受け付けるタッチパネル式のディスプレイにより構成されるものでも良い。
【００９１】
上記の実施形態では、グラフの種類がスランプグラフ，特賞履歴グラフ，及び時間帯別売上グラフである例について説明したが、これに限らず、該グラフの種類は、例えばセーフ玉数の時間変化を表す出玉グラフや、売上金額の時間変化を表す売上推移グラフ等でも良い。
【００９２】
上記の実施形態では、図５に示すように、抽出条件である日付として、期間記憶手段（制御部３２）に記憶されている予め定められた期間が設定される例について説明したが、これに限らず、該抽出条件である日付として、遊技場が希望する任意の日付を設定できるようにしても良い。例えば該任意の日付として、３週間分の日曜日の日付を設定すれば、該３週間分の各日曜日における遊技関連情報を比較検討することができる。
【００９３】
上記の実施形態では、図５に示すように、予め定められた期間の単位が日である例について説明したが、これに限らず、該予め定められた期間の単位は、例えば時，週，月，年等であっても良い。
【００９４】
上記の実施形態では、図６（ｂ）に示す抽出条件設定ウィンドゥにおいて、台番号設定欄（左図）又は機種設定欄（右図）で、複数の台番号又は複数の機種が設定される例について説明したが、一つの台番号又は一つの機種を設定することも可能であり、その場合には、日付設定欄に表示されている一つの日付と、機種設定欄に表示されている一つの台番号又は一つの機種に基づいて、抽出手段として機能する制御部３２により一つの遊技関連情報が抽出され、該抽出された一つの遊技関連情報から少なくとも最大値が検出され、該検出された最大値に応じたグラフレンジが決定され、前記抽出された一つの遊技関連情報が該決定されたグラフレンジでグラフ化されて表示される。
【００９５】
上記の実施形態では、図８〜図１３に示すように、グラフ化された複数の遊技関連情報の各々が並べて表示される例について説明したが、これに限らず、該グラフ化された複数の遊技関連情報の各々がそれぞれ別個のウィンドゥに表示され、該ウィンドゥが重ね合わせて表示されるようにしても良い。
【００９６】
上記の実施形態では、グラフレンジが複数種類のパターンから選択される例について説明したが、これに限らず、該グラフレンジは、検出された複数の遊技関連情報の最大値に応じてその都度決定されるようにしても良い。
【００９７】
上記の実施形態では、特賞履歴グラフにおいて、特賞間スタートを表す縦軸レンジが０回から始まる例について説明したが、これに限らず、検出手段として機能する制御部３２により、複数の該特賞間スタートから最大値と最小値を検出し、グラフレンジ決定手段として機能する制御部３２により、前記検出手段により検出された複数の特賞間スタートの最大値と最小値に応じたグラフレンジを決定するようにしても良い。例えば図１１の変形例である図１４（ａ）に示すように、Ｘ番台〜Ｘ＋２番台の３台における特賞間スタート回数の最小値が１００回以上である場合には、特賞間スタートを表す縦軸レンジが１００回から始まるようグラフレンジを決定にしても良い。
【００９８】
同様に、上記の実施形態では、時間帯別売上グラフにおいて、売上金額を表す縦軸レンジが０円から始まる例について説明したが、これに限らず、検出手段として機能する制御部３２により、複数の該売上金額から最大値と最小値を検出し、グラフレンジ決定手段として機能する制御部３２により、前記検出手段により検出された複数の売上金額の最大値と最小値に応じたグラフレンジを決定するようにしても良い。例えば図１３の変形例である図１４（ｂ）に示すように、Ｙ番台〜Ｙ＋２番台の３台における売上金額の最小値が５０００円以上である場合には、売上金額を表す縦軸レンジが５０００円から始まるようにグラフレンジを決定しても良い。
【００９９】
このように、複数の遊技関連情報の最大値のみならず該複数の遊技関連情報の最小値に応じてもグラフレンジを決定すれば、例えば図１４（ａ）（ｂ）に示すように下側のグラフがカットされるので、該複数の遊技関連情報に応じた最適なグラフレンジが決定されてグラフが見易くなる。
【０１００】
【発明の効果】
本発明に係る遊技台管理装置によれば、以下のような効果を奏する。
【０１０１】
まず請求項１に係る遊技台管理装置によれば、複数の遊技関連情報の各々をグラフ化して表示させる際に、該複数の遊技関連情報から少なくとも最大値を検出し、該検出された複数の遊技関連情報の最大値に応じたグラフレンジを決定し、該決定されたグラフレンジで複数の遊技関連情報の各々がグラフ化されて表示されるので、該複数の遊技関連情報の各々が一連性のある（バラバラでない）グラフレンジでグラフ化されて表示される見易い表示となり、各遊技関連情報の比較検討や確認作業を正確かつ容易に行うことができる。
【０１０２】
また請求項２に係る遊技台管理装置によれば、抽出条件として一つの台番号と複数の日付を設定した場合には、該台番号に係る遊技関連情報が該複数の日付について抽出され、該抽出された遊技関連情報が各日付毎にグラフ化されて表示されるので、各日付毎に台番号別の遊技関連情報の比較検討を行うことができる。また抽出条件として複数の台番号と一つの日付を設定した場合には、該日付に係る遊技関連情報が複数の台番号について抽出され、該抽出された遊技関連情報が各台番号毎にグラフ化されて表示されるので、各台番号毎に日付別の遊技関連情報の比較検討を行うことができる。従って、遊技台の調整や入替等の検討に役立つ。
【０１０３】
また請求項３に係る遊技台管理装置によれば、抽出条件として一つの機種と複数の日付を設定した場合には、該機種に係る遊技関連情報が該複数の日付について抽出され、該抽出された遊技関連情報が各日付毎にグラフ化されて表示されるので、各日付毎に機種別の遊技関連情報の比較検討を行うことができる。また抽出条件として複数の機種と一つの日付を設定した場合には、該日付に係る遊技関連情報が複数の機種について抽出され、該抽出された遊技関連情報が各機種毎にグラフ化されて表示されるので、各機種毎に日付別の遊技関連情報の比較検討を行うことができる。従って、遊技台の調整や入替等の検討に役立つ。
【０１０４】
また請求項４に係る遊技台管理装置によれば、抽出条件として日付を設定する際に、予め定められた期間から選択して設定できるので、該設定を効率良く行うことができる。
【０１０５】
また請求項５に係る遊技台管理装置によれば、遊技関連情報の時間変化がグラフ化されて表示されるので、遊技場の営業戦略を立てる上で役立つ。
【０１０６】
また請求項６に係る遊技台管理装置によれば、グラフ化された複数の遊技関連情報の各々が並べて表示されるので、各遊技関連情報の比較検討や確認作業を正確かつ容易に行うことができる。
【０１０７】
また請求項７に係る遊技台管理装置によれば、複数種類のグラフレンジのパターンから選択されたグラフレンジで遊技関連情報がグラフ化されて表示されるので、各遊技関連情報を比較検討する際の誤りを減少でき、正確な確認作業を行うことができる。
【０１０８】
さらに請求項８に係る遊技台管理装置によれば、複数の遊技関連情報の最大値のみならず該複数の遊技関連情報の最小値に応じてもグラフレンジが決定されるので、該複数の遊技関連情報に応じた最適なグラフレンジが決定されてグラフが見易くなる。
【図面の簡単な説明】
【図１】図１は本発明に係る遊技台管理装置を含む遊技用管理システムの一例を表す図である。
【図２】図２は遊技台管理装置の制御部に記憶されるグラフレンジのパターンの一例を表す図である。
【図３】図３は遊技台管理装置の遊技関連情報ＤＢに記憶される遊技関連情報の一例を表す図である。
【図４】図４は遊技台管理装置のディスプレイに表示されるグラフ選択画面の一例を表す図である。
【図５】図５は遊技台管理装置のディスプレイに表示される期間選択画面の一例を表す図である。
【図６】図６は図５に示す期間選択画面上に表示される抽出条件設定ウィンドゥの一例を表す図であり、（ａ）は期間として３日分が設定された場合を表し、（ｂ）は期間として１日分が設定された場合を表す。
【図７】図７は遊技台管理装置のディスプレイに表示されるグラフ表示画面の一例を表す図である。
【図８】図８はグラフ表示領域に表示されるスランプグラフの一例を表す図であり、期間として３日分，台番号として１番台が設定された場合を表す。
【図９】図９はグラフ表示領域に表示されるスランプグラフの一例を表す図であり、期間として１日分，台番号として１番台〜３番台が設定された場合を表す。
【図１０】図１０はグラフ表示領域に表示される特賞履歴グラフの一例を表す図であり、期間として３日分，台番号として１番台が設定された場合を表す。
【図１１】図１１はグラフ表示領域に表示される特賞履歴グラフの一例を表す図であり、期間として１日分，台番号として１番台〜３番台が設定された場合を表す。
【図１２】図１２はグラフ表示領域に表示される時間帯別売上グラフの一例を表す図であり、期間として３日分，台番号として１番台が設定された場合を表す。
【図１３】図１３はグラフ表示領域に表示される時間帯別売上グラフの一例を表す図であり、期間として１日分，台番号として１番台〜３番台が設定された場合を表す。
【図１４】図１４（ａ）は図１１に示す特賞履歴グラフの変形例を表す図であり、図１４（ｂ）は図１３に示す時間帯別売上グラフの変形例を表す図である。
【符号の説明】
１…遊技用管理システム
２…遊技島
１０…台端末
２０…中継コンピュータ
３０…遊技台管理装置
３１…通信部
３２…制御部
３３…ハードディスク
３３ａ…遊技関連情報ＤＢ
３４…ディスプレイ
３５…入力装置
Ａ，Ｂ，Ｃ，Ｄ…接続端子
Ｐ…パチンコ台
Ｕ…玉貸ユニット
【図１】
2004097513.tif 000003
【図２】
2004097513.tif 000004
【図３】
2004097513.tif 000005
【図４】
2004097513.tif 000006
【図５】
2004097513.tif 000007
【図６】
2004097513.tif 000008
【図７】
2004097513.tif 000009
【図８】
2004097513.tif 000010
【図９】
2004097513.tif 000011
【図１０】
2004097513.tif 000012
【図１１】
2004097513.tif 000013
【図１２】
2004097513.tif 000014
【図１３】
2004097513.tif 000015
【図１４】
2004097513.tif 000016